【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
基地局とユーザ機器（ＵＥ）との間の通信のための物理ランダムアクセスチャネル（ＰＲＡＣＨ）を識別することと、
複数の単一サブキャリア送信を備えるランダムアクセスプリアンブルのために前記ＰＲＡＣＨ内で周波数ホッピングパターンを決定すること、前記周波数ホッピングパターンは、前記ＰＲＡＣＨ内で第１の周波数ホッピング距離に関連付けられた周波数ホップと、前記ＰＲＡＣＨ内で第２の周波数ホッピング距離に関連付けられた周波数ホップとを備え、前記第１の周波数ホッピング距離は、前記第２の周波数ホッピング距離より長い、と
を備える、方法。
【請求項２】
前記ＵＥが、前記決定された周波数ホッピングパターンに従って前記ランダムアクセスプリアンブルを送信することをさらに備える、
請求項１に記載の方法。
【請求項３】
前記第１の周波数ホッピング距離に関連付けられた周波数ホップの数は、前記第２の周波数ホッピング距離に関連付けられた周波数ホップの数と異なる、
請求項１に記載の方法。
【請求項４】
前記決定された周波数ホッピングパターンは、疑似ランダム関数に少なくとも部分的に基づいて決定された少なくとも１つの周波数ホップを備える、
請求項１に記載の方法。
【請求項５】
前記ランダムアクセスプリアンブルは、複数のランダムアクセスプリアンブルのうちの１つであり、前記複数のランダムアクセスプリアンブルのための非衝突周波数ホッピングパターンは、疑似ランダム関数を使用して生成される、
請求項１に記載の方法。
【請求項６】
前記ＰＲＡＣＨは、前記第１の周波数ホッピング距離に関連付けられた第１の部分と前記第２の周波数ホッピング距離に関連付けられた第２の部分とを備える、
請求項１に記載の方法。
【請求項７】
前記第１の部分は、前記ＰＲＡＣＨの第１のサブ領域に広がるサブキャリアの第１のセットと、前記ＰＲＡＣＨの第２のサブ領域に広がるサブキャリアの第２のセットとを備え、前記第１のサブ領域と前記第２のサブ領域とは、前記第２の部分の帯域幅で周波数において分離される、
請求項６に記載の方法。
【請求項８】
前記ＰＲＡＣＨは、複数のサブキャリアおよびプリアンブルトーン間隔に区分され、前記複数のサブキャリアのサブキャリア空間は、前記ＰＲＡＣＨに関連付けられたセルのためのデータチャネルサブキャリア空間の整数の除数である、
請求項１に記載の方法。
【請求項９】
前記複数のサブキャリアトーン送信の各々は、前記複数のプリアンブルトーン間隔のうちの１つに広がる、
請求項８に記載の方法。
【請求項１０】
基地局が、前記決定された周波数ホッピングパターンに少なくとも部分的に基づいて前記ランダムアクセスプリアンブルを検出することをさらに備える、
請求項１に記載の方法。
【請求項１１】
ワイヤレス通信のための装置であって、
基地局とユーザ機器（ＵＥ）との間の通信のための物理ランダムアクセスチャネル（ＰＲＡＣＨ）を識別するための手段と、
複数のサブキャリアトーン送信を備えるランダムアクセスプリアンブルのために前記ＰＲＡＣＨ内で周波数ホッピングパターンを決定するための手段、前記周波数ホッピングパターンは、前記ＰＲＡＣＨ内で第１の周波数ホッピング距離に関連付けられた周波数ホップと、前記ＰＲＡＣＨ内で第２の周波数ホッピング距離に関連付けられた周波数ホップとを備え、前記第１の周波数ホッピング距離は、前記第２の周波数ホッピング距離より長い、と
を備える、装置。
【請求項１２】
前記ＵＥが、前記決定された周波数ホッピングパターンに従って前記ランダムアクセスプリアンブルを送信するための手段をさらに備える、
請求項１１に記載の装置。
【請求項１３】
前記第１の周波数ホッピング距離に関連付けられた周波数ホップの数は、前記第２の周波数ホッピング距離に関連付けられた周波数ホップの数と異なる、
請求項１１に記載の装置。
【請求項１４】
前記決定された周波数ホッピングパターンは、疑似ランダム関数に少なくとも部分的に基づいて決定された少なくとも１つの周波数ホップを備える、
請求項１１に記載の装置。
【請求項１５】
前記ランダムアクセスプリアンブルは、複数のランダムアクセスプリアンブルのうちの１つであり、前記複数のランダムアクセスプリアンブルのための非衝突周波数ホッピングパターンは、疑似ランダム関数を使用して生成される、
請求項１１に記載の装置。
【請求項１６】
前記ＰＲＡＣＨは、前記第１の周波数ホッピング距離に関連付けられた第１の部分と前記第２の周波数ホッピング距離に関連付けられた第２の部分とを備える、
請求項１１に記載の装置。
【請求項１７】
前記第１の部分は、前記ＰＲＡＣＨの第１のサブ領域に広がるサブキャリアの第１のセットと、前記ＰＲＡＣＨの第２のサブ領域に広がるサブキャリアの第２のセットとを備え、前記第１のサブ領域と前記第２のサブ領域とは、前記第２の部分の帯域幅で周波数において分離される、
請求項１６に記載の装置。
【請求項１８】
前記ＰＲＡＣＨは、複数のサブキャリアおよびプリアンブルトーン間隔に区分され、前記複数のサブキャリアのサブキャリア空間は、前記ＰＲＡＣＨに関連付けられたセルのためのデータチャネルサブキャリア空間の整数の除数である、
請求項１１に記載の装置。
【請求項１９】
前記複数の単一サブキャリア送信の各々は、前記複数のプリアンブルトーン間隔のうちの１つに広がる、
請求項１８に記載の装置。
【請求項２０】
基地局が、前記決定された周波数ホッピングパターンに少なくとも部分的に基づいて前記ランダムアクセスプリアンブルを検出するための手段をさらに備える、
請求項１１に記載の装置。
【請求項２１】
システムにおける、ワイヤレス通信のための装置であって、
プロセッサと、
前記プロセッサと電子的に通信するメモリと、
前記メモリ中に記憶された命令と
を備え、前記命令は、実行されると、前記装置に、
基地局とユーザ機器（ＵＥ）との間の通信のための物理ランダムアクセスチャネル（ＰＲＡＣＨ）を識別することと、
複数の単一サブキャリア送信を備えるランダムアクセスプリアンブルのために前記ＰＲＡＣＨ内で周波数ホッピングパターンを決定すること、前記周波数ホッピングパターンは、前記ＰＲＡＣＨ内で第１の周波数ホッピング距離に関連付けられた周波数ホップ数と、前記ＰＲＡＣＨ内で第２の周波数ホッピング距離に関連付けられた周波数ホップとを備え、前記第１の周波数ホッピング距離は、前記第２の周波数ホッピング距離より長い、と
を行わせるように実行可能である、装置。
【請求項２２】
前記命令は、前記プロセッサによって、
前記ＵＥが、前記決定された周波数ホッピングパターンに従って前記ランダムアクセスプリアンブルを送信することを行うようにさらに実行可能である、
請求項２１に記載の装置。
【請求項２３】
前記第１の周波数ホッピング距離に関連付けられた周波数ホップの数は、前記第２の周波数ホッピング距離に関連付けられた周波数ホップの数と異なる、
請求項２１に記載の装置。
【請求項２４】
前記決定された周波数ホッピングパターンは、疑似ランダム関数に少なくとも部分的に基づいて決定された少なくとも１つの周波数ホップを備える、
請求項２１に記載の装置。
【請求項２５】
前記ランダムアクセスプリアンブルは、複数のランダムアクセスプリアンブルのうちの１つであり、前記複数のランダムアクセスプリアンブルための非衝突周波数ホッピングパターンは、疑似ランダム関数を使用して生成される、
請求項２１に記載の装置。
【請求項２６】
前記ＰＲＡＣＨは、前記第１の周波数ホッピング距離に関連付けられた第１の部分と前記第２の周波数ホッピング距離に関連付けられた第２の部分とを備える、
請求項２１に記載の装置。
【請求項２７】
前記第１の部分は、前記ＰＲＡＣＨの第１のサブ領域に広がるサブキャリアの第１のセットと、前記ＰＲＡＣＨの第２のサブ領域に広がるサブキャリアの第２のセットとを備え、前記第１のサブ領域と前記第２のサブ領域とは、前記第２の部分の帯域幅で周波数において分離される、
請求項２６に記載の装置。
【請求項２８】
前記ＰＲＡＣＨは、複数のサブキャリアおよびプリアンブルトーン間隔に区分され、前記複数のサブキャリアのサブキャリア空間は、前記ＰＲＡＣＨに関連付けられたセルのためのデータチャネルサブキャリア空間の整数の除数である、
請求項２１に記載の装置。
【請求項２９】
前記複数の単一サブキャリア送信の各々は、前記複数のプリアンブルトーン間隔のうちの１つに広がる、
請求項２８に記載の装置。
【請求項３０】
前記命令は、前記プロセッサに、
基地局が、前記決定された周波数ホッピングパターンに少なくとも部分的に基づいて前記ランダムアクセスプリアンブルを検出することを行わせるようにさらに実行可能である、
請求項２１に記載の装置。
【請求項３１】
ワイヤレス通信のためのコードを記憶する非一時的コンピュータ可読媒体であって、前記コードは、プロセッサによって、
基地局とユーザ機器（ＵＥ）との間の通信のための物理ランダムアクセスチャネル（ＰＲＡＣＨ）を識別することと、
複数の単一サブキャリア送信を備えるランダムアクセスプリアンブルのために前記ＰＲＡＣＨ内で周波数ホッピングパターンを決定すること、前記周波数ホッピングパターンは、前記ＰＲＡＣＨ内で第１の周波数ホッピング距離に関連付けられた周波数ホップと、前記ＰＲＡＣＨ内で第２の周波数ホッピング距離に関連付けられた周波数ホップとを備え、前記第１の周波数ホッピング距離は、前記第２の周波数ホッピング距離より長い、と
を行うように実行可能である、非一時的コンピュータ可読媒体。
【手続補正２】
【補正対象書類名】明細書
【補正対象項目名】０１３０
【補正方法】変更
【補正の内容】
【０１３０】
[0138]本明細書での説明は、当業者が本開示を製造または使用することを可能にするために提供される。本開示に対する様々な修正は、当業者にとって容易に明らかとなり、本明細書に定義された包括的な原理は、本開示の範囲から逸脱することなしに他の変形に適用され得る。このことから、本開示は、本明細書に説明された例および設計に限定されるべきではなく、本明細書に開示された原理および新規の特徴と一致する最も広い範囲が付与されるべきである。
以下に、本願出願の当初の特許請求の範囲に記載された発明を付記する。
［Ｃ１］
ワイヤレス通信のための方法であって、
基地局とユーザ機器（ＵＥ）との間の通信のための物理ランダムアクセスチャネル（ＰＲＡＣＨ）を識別することと、
複数の単一トーン送信を備えるランダムアクセスプリアンブルのために前記ＰＲＡＣＨ内で周波数ホッピングパターンを決定すること、前記周波数ホッピングパターンは、第１の周波数ホッピング距離に関連付けられた第１の数の周波数ホップと、第２の周波数ホッピング距離に関連付けられた第２の数の周波数ホップとを備える、と
を備える、方法。
［Ｃ２］
前記ＵＥが、前記決定された周波数ホッピングパターンに従って前記ランダムアクセスプリアンブルを送信することをさらに備える、
［Ｃ１］に記載の方法。
［Ｃ３］
前記第１の数の周波数ホップ数は、前記第２の数の周波数ホップと異なる、
［Ｃ１］に記載の方法。
［Ｃ４］
前記決定された周波数ホッピングパターンは、疑似ランダム関数に少なくとも部分的に基づいて決定された少なくとも１つの周波数ホップを備える、
［Ｃ１］に記載の方法。
［Ｃ５］
前記ランダムアクセスプリアンブルは、複数のランダムアクセスプリアンブルのうちの１つであり、前記複数のランダムアクセスプリアンブルの各々のための異なる周波数ホッピングパターンは、疑似ランダム関数を使用して生成される、
［Ｃ１］に記載の方法。
［Ｃ６］
前記ＰＲＡＣＨは、前記第１の周波数ホッピング距離に関連付けられた第１の部分と前記第２の周波数ホッピング距離に関連付けられた第２の部分とを備える、
［Ｃ１］に記載の方法。
［Ｃ７］
前記第１の部分は、前記ＰＲＡＣＨの第１のサブ領域に広がるサブキャリアの第１のセットと、前記ＰＲＡＣＨの第２のサブ領域に広がるサブキャリアの第２のセットとを備え、前記第１のサブ領域と前記第２のサブ領域とは、前記第２の部分の帯域幅で周波数において分離される、
［Ｃ６］に記載の方法。
［Ｃ８］
前記ＰＲＡＣＨは、複数のサブキャリアおよびプリアンブルトーン間隔に区分され、前記複数のサブキャリアのサブキャリア空間は、前記ＰＲＡＣＨに関連付けられたセルのためのデータチャネルサブキャリア空間の整数の除数である、
［Ｃ１］に記載の方法。
［Ｃ９］
前記複数の単一トーン送信の各々は、前記複数のプリアンブルトーン間隔のうちの１つに広がる、
［Ｃ８］に記載の方法。
［Ｃ１０］
基地局が、前記決定された周波数ホッピングパターンに少なくとも部分的に基づいて前記ランダムアクセスプリアンブルを検出することをさらに備える、
［Ｃ１］に記載の方法。
［Ｃ１１］
ワイヤレス通信のための方法であって、
基地局とユーザ機器（ＵＥ）との間の通信のための物理ランダムアクセスチャネル（ＰＲＡＣＨ）を識別すること、前記ＰＲＡＣＨは、複数のサブキャリアを備える、と、
複数の単一トーン送信を備えるランダムアクセスプリアンブルのために前記ＰＲＡＣＨ内で周波数ホッピングパターンを決定すること、前記周波数ホッピングパターンは、前記複数のサブキャリアにわたる複数の周波数ホップを備え、前記複数の周波数ホップのうちの少なくとも１つの周波数ホップは、疑似ランダム周波数ホップ距離に関連付けられる、と
を備える、方法。
［Ｃ１２］
前記疑似ランダム周波数ホップ距離は、疑似ランダム線形ハッシュ関数または疑似ランダム線形サイクリックシフトのうちの少なくとも１つに基づいて決定される、
［Ｃ１１］に記載の方法。
［Ｃ１３］
前記疑似ランダム周波数ホップ距離は、前記ＰＲＡＣＨのサブキャリアの数に基づく、
［Ｃ１１］に記載の方法。
［Ｃ１４］
基地局が、前記決定された周波数ホッピングパターンに少なくとも部分的に基づいて前記ランダムアクセスプリアンブルを検出することをさらに備える、
［Ｃ１１］に記載の方法。
［Ｃ１５］
前記検出されたランダムアクセスプリアンブルの複数のトーン中の位相情報に少なくとも部分的に基づいて前記ＵＥからアップリンク送信のためのタイミングオフセットを決定することをさらに備える、
［Ｃ１４］に記載の方法。
［Ｃ１６］
前記ランダムアクセスプリアンブルを検出することは、
前記複数の単一トーン送信のそれぞれのサブキャリアおよびそれぞれのプリアンブルトーン間隔に少なくとも部分的に基づいて、シーケンスに前記複数のトーンのための前記位相情報をマップすることと、
前記マップされたシーケンス上で周波数変換を実行することと
備える、［Ｃ１５］に記載の方法。
［Ｃ１７］
前記タイミングオフセットを取得することは、
前記マップされたシーケンスの前記周波数変換の出力最大値のロケーションを識別することを備える、
［Ｃ１６］に記載の方法。
［Ｃ１８］
前記ランダムアクセスプリアンブルを検出することは、
前記最大値をしきい値と比較することを備える、
［Ｃ１７］に記載の方法。
［Ｃ１９］
前記ランダムアクセスプリアンブルを検出することは、
前記複数の単一トーン送信のそれぞれのサブキャリアおよび前記それぞれのプリアンブルトーン間隔に少なくとも部分的に基づいて、シーケンスに前記複数のトーンのうちの２つ以上のトーンの間の位相情報差をマップすることと、
前記マップされたシーケンス上で周波数変換を実行することと
備える、［Ｃ１５］に記載の方法。
［Ｃ２０］
前記ＵＥが、前記決定された周波数ホッピングパターンに従って前記ランダムアクセスプリアンブルを送信することをさらに備える、
［Ｃ１１］に記載の方法。
［Ｃ２１］
ワイヤレス通信のための装置であって、
基地局とユーザ機器（ＵＥ）との間の通信のための物理ランダムアクセスチャネル（ＰＲＡＣＨ）を識別するための手段と、
複数の単一トーン送信を備えるランダムアクセスプリアンブルのために前記ＰＲＡＣＨ内で周波数ホッピングパターンを決定するための手段、前記周波数ホッピングパターンは、第１の周波数ホッピング距離に関連付けられた第１の数の周波数ホップと、第２の周波数ホッピング距離に関連付けられた第２の数の周波数ホップとを備える、と
を備える、装置。
［Ｃ２２］
前記ＵＥが、前記決定された周波数ホッピングパターンに従って前記ランダムアクセスプリアンブルを送信するための手段をさらに備える、
［Ｃ２１］に記載の装置。
［Ｃ２３］
前記第１の数の周波数ホップは、前記第２の数の周波数ホップと異なる、
［Ｃ２１］に記載の装置。
［Ｃ２４］
前記決定された周波数ホッピングパターンは、疑似ランダム関数に少なくとも部分的に基づいて決定された少なくとも１つの周波数ホップを備える、
［Ｃ２１］に記載の装置。
［Ｃ２５］
前記ランダムアクセスプリアンブルは、複数のランダムアクセスプリアンブルのうちの１つであり、前記複数のランダムアクセスプリアンブルの各々のための異なる周波数ホッピングパターンは、疑似ランダム関数を使用して生成される、
［Ｃ２１］に記載の装置。
［Ｃ２６］
前記ＰＲＡＣＨは、前記第１の周波数ホッピング距離に関連付けられた第１の部分と前記第２の周波数ホッピング距離に関連付けられた第２の部分とを備える、
［Ｃ２１］に記載の装置。
［Ｃ２７］
前記第１の部分は、前記ＰＲＡＣＨの第１のサブ領域に広がるサブキャリアの第１のセットと、前記ＰＲＡＣＨの第２のサブ領域に広がるサブキャリアの第２のセットとを備え、前記第１のサブ領域と前記第２のサブ領域とは、前記第２の部分の帯域幅で周波数において分離される、
［Ｃ２６］に記載の装置。
［Ｃ２８］
前記ＰＲＡＣＨは、複数のサブキャリアおよびプリアンブルトーン間隔に区分され、前記複数のサブキャリアのサブキャリア空間は、前記ＰＲＡＣＨに関連付けられたセルのためのデータチャネルサブキャリア空間の整数の除数である、
［Ｃ２１］に記載の装置。
［Ｃ２９］
前記複数の単一トーン送信の各々は、前記複数のプリアンブルトーン間隔のうちの１つに広がる、
［Ｃ２８］に記載の装置。
［Ｃ３０］
基地局が、前記決定された周波数ホッピングパターンに少なくとも部分的に基づいて前記ランダムアクセスプリアンブルを検出するための手段をさらに備える、
［Ｃ２１］に記載の装置。
［Ｃ３１］
ワイヤレス通信のための装置であって、
基地局とユーザ機器（ＵＥ）との間の通信のための物理ランダムアクセスチャネル（ＰＲＡＣＨ）を識別するための手段、前記ＰＲＡＣＨは、複数のサブキャリアを備える、と、
複数の単一トーン送信を備えるランダムアクセスプリアンブルのために前記ＰＲＡＣＨ内で周波数ホッピングパターンを決定するための手段、前記周波数ホッピングパターンは、前記複数のサブキャリアにわたる複数の周波数ホップを備え、前記複数の周波数ホップのうちの少なくとも１つの周波数ホップは、疑似ランダム周波数ホップ距離に関連付けられる、と
を備える、装置。
［Ｃ３２］
前記疑似ランダム周波数ホップ距離は、疑似ランダム線形ハッシュ関数または疑似ランダム線形サイクリックシフトのうちの少なくとも１つに基づいて決定される、
［Ｃ３１］に記載の装置。
［Ｃ３３］
前記疑似ランダム周波数ホップ距離は、前記ＰＲＡＣＨのサブキャリアの数に基づく、
［Ｃ３１］に記載の装置。
［Ｃ３４］
基地局が、前記決定された周波数ホッピングパターンに少なくとも部分的に基づいて前記ランダムアクセスプリアンブルを検出するための手段をさらに備える、
［Ｃ３１］に記載の装置。
［Ｃ３５］
前記検出されたランダムアクセスプリアンブルの複数のトーン中の位相情報に少なくとも部分的に基づいて前記ＵＥからアップリンク送信のためのタイミングオフセットを決定するための手段をさらに備える、
［Ｃ３４］に記載の装置。
［Ｃ３６］
前記ランダムアクセスプリアンブルを前記検出するための手段は、
前記複数の単一トーン送信のそれぞれのサブキャリアおよびそれぞれのプリアンブルトーン間隔に少なくとも部分的に基づいて、シーケンスに前記複数のトーンのための前記位相情報をマップするための手段と、
前記マップされたシーケンス上で周波数変換を実行するための手段と
備える、［Ｃ３５］に記載の装置。
［Ｃ３７］
前記タイミングオフセットを前記取得するための手段は、
前記マップされたシーケンスの前記周波数変換の出力の最大値のロケーションを識別することを備える、
［Ｃ３６］に記載の装置。
［Ｃ３８］
前記ランダムアクセスプリアンブルを前記検出するための手段は、
前記最大値をしきい値と比較するための手段を備える、
［Ｃ３７］に記載の装置。
［Ｃ３９］
前記ランダムアクセスプリアンブルを前記検出するための手段は、
前記複数の単一トーン送信のそれぞれのサブキャリアおよび前記それぞれのプリアンブルトーン間隔に少なくとも部分的に基づいてシーケンスに前記複数のトーンのうちの２つ以上のトーンの間の位相情報差をマップするための手段と、
前記マップされたシーケンス上で周波数変換を実行するための手段と
備える、［Ｃ３５］に記載の装置。
［Ｃ４０］
前記ＵＥが、前記決定された周波数ホッピングパターンに従って前記ランダムアクセスプリアンブルを送信するための手段をさらに備える、
［Ｃ３１］に記載の装置。
［Ｃ４１］
システムにおける、ワイヤレス通信のための装置であって、
プロセッサと、
前記プロセッサと電子的に通信するメモリと、
前記メモリ中に記憶された命令と
を備え、前記命令は、実行されると、前記装置に、
基地局とユーザ機器（ＵＥ）との間の通信のための物理ランダムアクセスチャネル（ＰＲＡＣＨ）を識別することと、
複数の単一トーン送信を備えるランダムアクセスプリアンブルのために前記ＰＲＡＣＨ内で周波数ホッピングパターンを決定すること、前記周波数ホッピングパターンは、第１の周波数ホッピング距離に関連付けられた第１の数の周波数ホップ数と、第２の周波数ホッピング距離に関連付けられた第２の数の周波数ホップとを備える、と
を行わせるように実行可能である、装置。
［Ｃ４２］
前記命令は、前記プロセッサによって、
前記ＵＥが、前記決定された周波数ホッピングパターンに従って前記ランダムアクセスプリアンブルを送信することを行うようにさらに実行可能である、
［Ｃ４１］に記載の装置。
［Ｃ４３］
前記第１の数の周波数ホップは、前記第２の数の周波数ホップと異なる、
［Ｃ４１］に記載の装置。
［Ｃ４４］
前記決定された周波数ホッピングパターンは、疑似ランダム関数に少なくとも部分的に基づいて決定された少なくとも１つの周波数ホップを備える、
［Ｃ４１］に記載の装置。
［Ｃ４５］
前記ランダムアクセスプリアンブルは、複数のランダムアクセスプリアンブルのうちの１つであり、前記複数のランダムアクセスプリアンブルの各々のための異なる周波数ホッピングパターンは、疑似ランダム関数を使用して生成される、
［Ｃ４１］に記載の装置。
［Ｃ４６］
前記ＰＲＡＣＨは、前記第１の周波数ホッピング距離に関連付けられた第１の部分と前記第２の周波数ホッピング距離に関連付けられた第２の部分とを備える、
［Ｃ４１］に記載の装置。
［Ｃ４７］
前記第１の部分は、前記ＰＲＡＣＨの第１のサブ領域に広がるサブキャリアの第１のセットと、前記ＰＲＡＣＨの第２のサブ領域に広がるサブキャリアの第２のセットとを備え、前記第１のサブ領域と前記第２のサブ領域とは、前記第２の部分の帯域幅で周波数において分離される、
［Ｃ４６］に記載の装置。
［Ｃ４８］
前記ＰＲＡＣＨは、複数のサブキャリアおよびプリアンブルトーン間隔に区分され、前記複数のサブキャリアのサブキャリア空間は、前記ＰＲＡＣＨに関連付けられたセルのためのデータチャネルサブキャリア空間の整数の除数である、
［Ｃ４１］に記載の装置。
［Ｃ４９］
前記複数の単一トーン送信の各々は、前記複数のプリアンブルトーン間隔のうちの１つに広がる、
［Ｃ４８］に記載の装置。
［Ｃ５０］
前記命令は、前記プロセッサに、
基地局が、前記決定された周波数ホッピングパターンに少なくとも部分的に基づいて前記ランダムアクセスプリアンブルを検出することを行わせるようにさらに実行可能である、
［Ｃ４１］に記載の装置。
［Ｃ５１］
システムにおける、ワイヤレス通信のための装置であって、
プロセッサと、
前記プロセッサと電子的に通信するメモリと、
前記メモリ中に記憶された命令と
を備え、前記命令は、実行されると、前記装置に、
基地局とユーザ機器（ＵＥ）との間の通信のための物理ランダムアクセスチャネル（ＰＲＡＣＨ）を識別すること、前記ＰＲＡＣＨは、複数のサブキャリアを備える、と、
複数の単一トーン送信を備えるランダムアクセスプリアンブルのために前記ＰＲＡＣＨ内で周波数ホッピングパターンを決定すること、前記周波数ホッピングパターンは、前記複数のサブキャリアにわたる複数の周波数ホップを備え、前記複数の周波数ホップのうちの少なくとも１つの周波数ホップは、疑似ランダム周波数ホップ距離に関連付けられる、と
を行わせるように動作可能である、装置。
［Ｃ５２］
前記疑似ランダム周波数ホップ距離は、疑似ランダム線形ハッシュ関数または疑似ランダム線形サイクリックシフトのうちの少なくとも１つに基づいて決定される、
［Ｃ５１］に記載の装置。
［Ｃ５３］
前記疑似ランダム周波数ホップ距離は、前記ＰＲＡＣＨのサブキャリアの数に基づく、
［Ｃ５１］に記載の装置。
［Ｃ５４］
前記命令は、前記プロセッサによって、
基地局が、前記決定された周波数ホッピングパターンに少なくとも部分的に基づいて前記ランダムアクセスプリアンブルを検出することを行わせるようにさらに実行可能である、
［Ｃ５１］に記載の装置。
［Ｃ５５］
前記命令は、前記プロセッサに、
前記検出されたランダムアクセスプリアンブルの複数のトーン中の位相情報に少なくとも部分的に基づいて前記ＵＥからアップリンク送信のためのタイミングオフセットを決定することを行うようにさらに実行可能である、
［Ｃ５４］に記載の装置。
［Ｃ５６］
前記命令は、前記プロセッサによって、
前記複数の単一トーン送信のそれぞれのサブキャリアおよびそれぞれのプリアンブルトーン間隔に少なくとも部分的に基づいて、シーケンスに前記複数のトーンのための前記位相情報をマップすることと、
前記マップされたシーケンス上で周波数変換を実行することと
を行うようにさらに実行可能である、［Ｃ５５］に記載の装置。
［Ｃ５７］
前記命令は、前記プロセッサによって、
前記マップされたシーケンスの前記周波数変換の出力最大値のロケーションを識別することを行うようにさらに実行可能である、
［Ｃ５６］に記載の装置。
［Ｃ５８］
前記命令は、前記プロセッサによって、
前記最大値をしきい値と比較することを備える、
［Ｃ５７］に記載の装置。
［Ｃ５９］
前記命令は、前記プロセッサによって、
前記複数の単一トーン送信のそれぞれのサブキャリアおよびそれぞれのプリアンブルトーン間隔に少なくとも部分的に基づいて、シーケンスに前記複数のトーンのうちの２つ以上のトーンの間の位相情報差をマップすることと、
前記マップされたシーケンス上で周波数変換を実行することと
を行うようにさらに実行可能である、［Ｃ５５］に記載の装置。
［Ｃ６０］
前記命令は、前記プロセッサによって、
前記ＵＥが、前記決定された周波数ホッピングパターンに従って前記ランダムアクセスプリアンブルを送信することを行うようにさらに実行可能である、
［Ｃ５１］に記載の装置。
［Ｃ６１］
ワイヤレス通信のためのコードを記憶する非一時的コンピュータ可読媒体であって、前記コードは、プロセッサによって、
基地局とユーザ機器（ＵＥ）との間の通信のための物理ランダムアクセスチャネル（ＰＲＡＣＨ）を識別することと、
複数の単一トーン送信を備えるランダムアクセスプリアンブルのために前記ＰＲＡＣＨ内で周波数ホッピングパターンを決定すること、前記周波数ホッピングパターンは、第１の周波数ホッピング距離に関連付けられた第１の数の周波数ホップと、第２の周波数ホッピング距離に関連付けられた第２の数の周波数ホップとを備える、と
を行うように実行可能である、非一時的コンピュータ可読媒体。
［Ｃ６２］
ワイヤレス通信のためのコードを記憶する非一時的コンピュータ可読媒体であって、前記コードは、プロセッサによって
基地局とユーザ機器（ＵＥ）との間の通信のための物理ランダムアクセスチャネル（ＰＲＡＣＨ）を識別すること、前記ＰＲＡＣＨは、複数のサブキャリアを備える、と、
複数の単一トーン送信を備えるランダムアクセスプリアンブルのために前記ＰＲＡＣＨ内で周波数ホッピングパターンを決定すること、前記周波数ホッピングパターンは、前記複数のサブキャリアにわたる複数の周波数ホップを備え、前記複数の周波数ホップのうちの少なくとも１つの周波数ホップは、疑似ランダム周波数ホップ距離に関連付けられる、と
を行うように実行可能である、装置。